(57)【要約】      （修正有）【課題】特にカップの開口をカバーし、即ち、カップの上部周縁にしっかりと蓋を装着することにより、内部に入った液体の漏洩を防ぐカップの蓋を提供する。【解決手段】蓋部材１０と、該蓋部材の外周縁から外方に向かって延出する環状の係合部と、該係合部の底面外周縁から縦方向に向かって延出する環状の外壁部１１と、該係合部の底面内周縁近傍から縦方向に向かって延出すると共に、該外壁部と間隔をおいて該外壁部側に向かって傾斜する環状の内壁部１２と、該外壁部と内壁部との間に形成される環状の嵌合凹部１３と、該外壁部の内側面から嵌合凹部に突出する環状の係合凸部１４とを有するものである。【選択図】図２
0003165080.tif 000002
【実用新案登録請求の範囲】
【請求項１】
蓋部材と、該蓋部材の外周縁から外方に向かって延出する環状の係合部と、該係合部の底面外周縁から縦方向に向かって延出する環状の外壁部と、該係合部の底面内周縁近傍から縦方向に向かって延出すると共に、該外壁部と間隔をおいて該外壁部側に向かって傾斜する環状の内壁部と、該外壁部と内壁部との間に形成される環状の嵌合凹部と、該外壁部の内側面から嵌合凹部側に突出する環状の係合凸部とを有することを特徴とするカップの蓋。
【請求項２】
前記内側部が環状部材を呈することを特徴とする請求項１に記載のカップの蓋。
【請求項３】
前記内壁部が、それぞれ環状に排列される複数の弧状リブから構成されることを特徴とする請求項１に記載のカップの蓋。
【請求項４】
前記蓋部材は、前記係合部の上面に凹設される環状の溝部と、該溝部上に放射状に設けられる複数の強化リブとを有することを特徴とする請求項２に記載のカップの蓋。
【請求項５】
前記蓋部材は、前記係合部の上面に凹設される環状の溝部と、該溝部上に放射状に設けられる複数の強化リブとを有することを特徴とする請求項３に記載のカップの蓋。
【請求項６】
前記蓋部材に飲み口が設けられていないことを特徴とする請求項１乃至５の何れか１項に記載のカップの蓋。
【請求項７】
前記蓋部材に飲み口が設けられていることを特徴とする請求項１乃至５の何れか１項に記載のカップの蓋。
【請求項８】
前記蓋部材に飲み口が設けられ、該飲み口に、飲み口を塞ぐためのカバーが設けられていることを特徴とする請求項１乃至５の何れか１項に記載のカップの蓋。
【請求項９】
前記蓋部材は、押圧片部が形成され、該押圧片部が押圧されると飲み口を構成することを特徴とする請求項１乃至５の何れか１項に記載のカップの蓋。
【考案の詳細な説明】
【技術分野】
【０００１】
本考案は、特にカップ内の液体をこぼれないように、カップの上部周縁に装着して開口をカバーする蓋に関するものである。
【背景技術】
【０００２】
カップの蓋部材９０は通常、カップ９２の開口を密封するために、カップ９２の上部に取り付けられている。図８に示すように、蓋部材９０はさらに、カップ９２の開口を塞ぐための蓋部９１と、該蓋部９１の外周縁下部に周設されると共に、該カップ９２の上部周縁に当接される環状の係合部９３と、該係合部９３の外周縁から下方に向かって延出すると共に、該カップ９２の外周面上部をカバーする外側壁９４と、該外側壁９４の内周面に凸設されると共に、該カップ９２の上部周縁に係合される係合凸部９５とを備え、この構成によれば、該カップ９２内の液体がこぼれないように、該カップ９２の上部を塞ぐことができる。
【考案の概要】
【考案が解決しようとする課題】
【０００３】
しかしながら、既存の、蓋が付いたカップは、手で持つ時、握持力によりカップを変形させることにより、蓋における係合凸部の一部がカップの周縁から外れ、カップと蓋との間に隙間が生じてしまうので、カップ内の液体が漏れるだけでなく、蓋ががカップから完全に外れる恐れもあった。
【課題を解決するための手段】
【０００４】
本考案に係るカップの蓋は、蓋部材と、該蓋部材の外周縁から外方に向かって延出する環状の係合部と、該係合部の底面外周縁から縦方向に向かって延出する環状の外壁部と、該係合部の底面内周縁近傍から縦方向に向かって延出すると共に、該外壁部と間隔をおいて該外壁部側に向かって傾斜する環状の内壁部と、該外壁部と内壁部との間に形成される環状の嵌合凹部と、該外壁部の内側面から嵌合凹部に突出する環状の係合凸部とを有するものである。
【０００５】
前記内壁部は、環状部材を呈することが好ましい。
【０００６】
前記内壁部は、それぞれ環状に排列される複数の弧状リブから構成されても構わない。
【０００７】
前記蓋部材は、前記係合部の上面に凹設される環状の溝部と、該溝部上に放射状に設けられる複数の強化リブとを有することから、係合部との連結構造をより強化することができる。
【０００８】
また、前記カップは、内部の飲み物がこぼれないように、前記蓋部材に飲み口を設けなくてもよい。
【０００９】
また、使用者が蓋を取らなくても直接にカップ内の飲み物を飲めるようにするために、前記蓋部材に飲み口を設けてもよい。
【００１０】
また、前記蓋部材には飲み口が設けられ、該飲み口には密閉用のカバーが設けられることが好ましい。
【００１１】
また、前記蓋部材には、押圧するされると簡単に飲み口を形成させることができる押圧片部が設けられてもよい。
【考案の効果】
【００１２】
本考案に係るカップの蓋は上記の課題を解決するものであり、外壁部及び内壁部を備えると共に、それぞれ内外からカップの上部周縁に係合されることから、しっかりとカップに取り付けることができる。
【図面の簡単な説明】
【００１３】
【図１】本考案に係るカップの蓋における第一実施例の斜視図である。
【図２】本考案に係るカップの蓋における第一実施例の断面図である。
【図３】本考案に係るカップの蓋における第二実施例の底面図である。
【図４】本考案に係るカップの蓋における第三実施例の斜視図である。
【図５】本考案に係るカップの蓋における第四実施例の斜視図である。
【図６】本考案に係るカップの蓋における第五実施例の斜視図である。
【図７】本考案に係るカップの蓋がカップに取り付けられた状態を示す断面図である。
【図８】既存の蓋がカップに取り付けられた状態を示す断面図である。
【考案を実施するための形態】
【００１４】
以下、添付図面を参照して本考案の好適な実施の形態を詳細に説明する。尚、下記実施例は、本考案の好適な実施の形態を示したものにすぎず、本考案の技術的範囲は、下記実施例そのものに何ら限定されるものではない。
【００１５】
図１乃至図６に示すように、本考案に係るカップの蓋は、蓋部材１０と、該蓋部材１０の外周縁から外方に向かって延出する環状の係合部と、該係合部の底面外周縁から縦方向に向かって延出する環状の外壁部１１と、該係合部の底面内周縁近傍から縦方向に向かって延出すると共に、該外壁部１１と間隔をおいて該外壁部１１側に向かって傾斜する環状の内壁部１２と、該外壁部１１と内壁部１２との間に形成される環状の嵌合凹部１３と、該外壁部１１の内側面から嵌合凹部１３側に突出する環状の係合凸部１４とを有するものである。なお、図３に示すように、前記内壁部１２は外壁部１１に囲まれると共に、環状部材を呈してもよいが、それぞれ環状に排列される複数の弧状リブから構成されてもよい。
【００１６】
さらに、前記蓋部材１０は、前記内壁部１２の直径より小さいと共に、前記係合部の上面に凹設される環状の溝部１５と、該溝部１５上に放射状に設けられる複数の強化リブ１５１とを有し、該強化リブ１５１が蓋部材１０及び係合部と連結されるので、連結構造をより強化することができる。
【００１７】
また、本考案に係るカップの蓋は、蓋部材１０に飲み口が設けられていても、設けられていなくてもよく、例えば、図６は、蓋部材１０に飲み口が設けられていない実施例であり、一方、図１は、蓋部材１０に飲み口１６が形成される実施例であり、使用者が蓋を引っ張り上げなくても直接にカップ内の飲み物を飲むことができるので、非常に便利である。一方、図４は、カップの蓋における蓋部材１０に飲み口が形成され、該飲み口を密閉するために、飲み口近傍にカバー１７が設けられ、そのカバー１７押し上げると、該カバー１７が位置決め部１８に固定される構成を有する実施例であり、この構成によっても、直接にカップ内の飲み物を飲むことができるので、非常に便利である。また、図５は、蓋部材１０に押圧片部１９が設けられ、該押圧片部１９は、周縁の一部が蓋部材１０に連結されると共に、他の一部が薄膜状を介して蓋部材１０と連結される実施例であり、、この構成によれば、該押圧片部１９を押圧すると、該押圧片部１９における薄膜状部の周縁が裂けて蓋部材１０に飲み口が構成され、直接にカップ内の飲み物を飲むことができる。
【００１８】
図７に示すように、本考案に係るカップの蓋をカップ２０に組み合わせる時、蓋は、内部に飲み物が入られるカップ１０に取り付けられるが、この時、該カップ２０の上部周縁に設けられる嵌合凹部１３は、蓋の外壁部１１と内壁部１２との間に位置し、該カップ２０の外周面が係合凸部１４に、内周面が該内壁部１２に当接且つ挟持され、更に、該内壁部１２は、該外壁部１１に向かって斜めに形成されるので、カップ２０の内周面にしっかりと当接される。
【００１９】
本考案に係るカップの蓋を取り付けたカップ２０を使用する時は、カップ２０を持つ手の握持力がカップ２０の外周面を押し付けるが、蓋部材１０の内壁部１２がカップ２０の内周面に当接されることにより、カップ２０の変形を防ぐことができる。また、蓋における係合凸部１４がカップ２０の外周面に、内壁部１２がカップ２０の内周面に当接され、それぞれ内外側からカップ２０を挟持するので、蓋をカップ２０にしっかりと組み合わせることができる。
【産業上の利用可能性】
【００２０】
本考案は上記の構成を有し、外壁部に突出される係合凸部がカップの外周面に、内壁部がカップの内周面に当接されることにより、それぞれ内外側からカップの上部周縁を挟持するので、蓋をしっかりとカップに取り付けることができると共に、カップに入れた飲み物をこぼすこともない。
【符号の説明】
【００２１】
１０  蓋部材
１１  外壁部
１２  内壁部
１３  嵌合凹部
１４  係合凸部
１５  溝部
１５１ 強化リブ
１６  飲み口
１７  カバー
１８  位置決め部
１９  押圧片部
２０        カップ 
【図１】
0003165080.tif 000003
【図２】
0003165080.tif 000004
【図３】
0003165080.tif 000005
【図４】
0003165080.tif 000006
【図５】
0003165080.tif 000007
【図６】
0003165080.tif 000008
【図７】
0003165080.tif 000009
【図８】
0003165080.tif 000010